Podtech/llm-jp-corpus-v4-ja_patent huggingface dataset:
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
対象へのメサラジンの経口投与のための単位用量薬学的製品であって、
（ａ）ｐＨ依存性腸溶コーティングが施されたメサラジンを含む圧縮母材を含む複数の遅延放出性即放性ミニタブレットであって、遠位回腸でメサラジンを選択的に放出し、かつ、約５．５以上のｐＨでメサラジンを放出してもよい、前記遅延放出性即放性ミニタブレットと、
（ｂ）内側ｐＨ非依存性徐放性コーティングおよび外側ｐＨ依存性腸溶コーティングが施されたメサラジンを含む圧縮母材を含む複数の遅延放出性徐放性ミニタブレットであって、結腸でメサラジンを選択的に放出し、かつ、約７以上のｐＨでメサラジンを放出してもよい、前記遅延放出性徐放性ミニタブレットと、
を含み、
前記（ａ）のミニタブレットおよび／または前記（ｂ）のミニタブレットが、前記ｐＨ依存性腸溶コーティングの外側にシールコートをさらに含んでもよく、
（ａ）および（ｂ）が、サシェ、カプセル、またはバイアルに入れられて提供されてもよく、
前記単位用量薬学的製品中の（ａ）および（ｂ）の相対量が、
前記単位用量薬学的製品中に提供されるメサラジンの１０〜９０重量％が、前記（ｂ）の遅延放出性徐放性ミニタブレット中で存在するような量であり、かつ、
前記単位用量薬学的製品中のメサラジンの総量が、約０．４〜６ｇであり、約２ｇまたは約４ｇであってもよい、単位用量薬学的製品。
【請求項２】
ｐＨ１．２の緩衝液に２時間、続いて、ｐＨ４．５の緩衝液に２時間、続いて、ｐＨ７．０の緩衝液の、５００ｍＬの溶出溶媒における３７℃および１００ｒｐｍでのＵＳＰ１型バスケットに従うインビトロ溶出試験に供する場合に、前記遅延放出性即放性ミニタブレットが、ｐＨ１．２およびｐＨ４．５にてメサラジンの放出を実質的に全く示さず、ｐＨ７．０にて実質的に全てのメサラジンを９０分以内または１２０分以内に放出する、請求項１に記載の単位用量薬学的製品。
【請求項３】
前記（ａ）の遅延放出性即放性ミニタブレットが、遠位回腸中でそれらの総メサラジン含量の少なくとも３０重量％または少なくとも５０重量％を放出する、請求項１または２に記載の単位用量薬学的製品。
【請求項４】
ｐＨ１．２の緩衝液に２時間、続いて、ｐＨ４．５の緩衝液に２時間、続いて、ｐＨ７．０の緩衝液に１２時間の、５００ｍＬの溶出溶媒における３７℃および１００ｒｐｍでのＵＳＰ１型バスケットに従うインビトロ溶出試験に供する場合に、前記遅延放出性徐放性ミニタブレットが、ｐＨ１．２およびｐＨ４．５にてメサラジンの放出を実質的に全く示さず、ｐＨ７．０にて少なくとも４時間、少なくとも６時間、少なくとも８時間、または少なくとも１２時間にわたってメサラジンの徐放を示す、請求項１〜３のいずれか１項に記載の単位用量薬学的製品。
【請求項５】
前記（ｂ）の遅延放出性徐放性ミニタブレットが、結腸中でそれらの総メサラジン含量の少なくとも５０重量％または少なくとも７０重量％を放出する、請求項１〜４のいずれか１項に記載の単位用量薬学的製品。
【請求項６】
前記（ａ）の圧縮母材および前記（ｂ）の圧縮母材が、少なくとも８５重量％または少なくとも９０重量％のメサラジンを含み、かつ、薬学的に許容される結合剤（ポビドンであってもよい）、薬学的に許容される充填剤（結晶セルロースであってもよい）、および薬学的に許容される滑沢剤（ステアリン酸マグネシウムであってもよい）の１つ以上を含んでもよい、請求項１〜５のいずれか１項に記載の単位用量薬学的製品。
【請求項７】
前記（ａ）の圧縮母材および前記（ｂ）の圧縮母材が、微粉化されたメサラジンを含み、前記メサラジンは９０パーセンタイルＤ（ｖ、０．９）が３０μｍ以下であるような、および／または、典型値Ｄ（ｖ、０．９）が約１６〜１７μｍであるような粒径分布を有してもよく、あるいは、９０パーセンタイルＤ（ｖ、０．９）が１００μｍ以下であるような、および／または、典型値Ｄ（ｖ、０．９）が約４０〜５０μｍであるような粒径分布を有してもよい、請求項１〜６のいずれか１項に記載の単位用量薬学的製品。
【請求項８】
前記（ａ）のｐＨ依存性腸溶コーティングが、１：１のメタクリル酸およびアクリル酸エチルのコポリマー、ヒプロメロース酢酸エステルコハク酸エステル、ならびにヒプロメロースフタル酸エステルからなる群から選択される１つ以上のポリマーを含む、および／または、
前記（ｂ）のｐＨ依存性腸溶コーティングが、１：２のメタクリル酸およびメタクリル酸メチルのコポリマー、ポリ（アクリル酸メチル−重合−メタクリル酸メチル−重合−メタクリル酸）［７：３：１］、ヒプロメロース酢酸エステルコハク酸エステルからなる群から選択される１つ以上のポリマーを含む、および／または、
前記（ｂ）のｐＨ非依存性徐放性コーティングが、ｐＨ非依存性徐放性ポリマー（エチルセルロースであってもよい）および細孔形成剤（ヒドロキシプロピルメチルセルロースであってもよい）を含む、請求項１〜７のいずれか１項に記載の単位用量薬学的製品。
【請求項９】
前記（ａ）のミニタブレットおよび前記（ｂ）のミニタブレットが、１〜４ｍｍの最長径および／または１〜４ｍｍの長さを有する、請求項１〜８のいずれか１項に記載の単位用量薬学的製品。
【請求項１０】
メサラジンを必要とする対象にメサラジンを経口投与するための、請求項１〜９のいずれか１項に記載の単位用量薬学的製品。
【請求項１１】
潰瘍性大腸炎および軽症〜中等症のクローン病などの炎症性腸疾患を治療するための、請求項１〜９のいずれか１項に記載の単位用量薬学的製品。
【請求項１２】
請求項１〜９のいずれか１項に記載の単位用量薬学的製品の製造方法であって、
（ａ）複数の遅延放出性即放性ミニタブレット（ａ）を形成する工程；
（ｂ）複数の遅延放出性徐放性ミニタブレット（ｂ）を形成する工程；および、
（ｃ）（ａ）および（ｂ）を、サシェ、カプセル、またはバイアルに入れて提供することにより単位用量薬学的製品を得る工程、を含み、
前記単位用量薬学的製品中の（ａ）および（ｂ）の相対量が、前記単位用量薬学的製品中に提供されるメサラジンの１０〜９０重量％が、前記（ｂ）の遅延放出性徐放性ミニタブレット中で存在するような量であり、かつ、前記単位用量薬学的製品中のメサラジンの総量が、約０．４〜６ｇである、製造方法。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
血友病Ａに対する肝臓向性治療剤として有用な組み換えアデノ随伴ウイルス（ｒＡＡＶ）であって、前記ｒＡＡＶが、ＡＡＶカプシドと、その中にパッケージングされたベクターゲノムとを含み、前記ベクターゲノムが
（ａ）ＡＡＶ  ５’逆方向末端リピート（ＩＴＲ）配列と、
（ｂ）肝臓特異的プロモーターと、
（ｃ）凝固作用を有するヒト第ＶＩＩＩ因子をコードするコード配列と、
（ｅ）ＡＡＶ  ３’ＩＴＲとを具備し、
前記コード配列が、配列番号：２に対して少なくとも９５％の同一である核酸を含む、
前記ｒＡＡＶ。
【請求項２】
前記肝臓特異的プロモーターがトランスサイレチン（ＴＴＲ）プロモーターである、請求項１に記載のｒＡＡＶ。
【請求項３】
前記トランスサイレチン（ＴＴＲ）プロモーターが配列番号：７を含む、請求項１または２に記載のｒＡＡＶ。
【請求項４】
前記ｒＡＡＶカプシドがｈｕ３７カプシドである、請求項１〜３のいずれか一項に記載のｒＡＡＶ。
【請求項５】
前記ＡＡＶ  ５’ＩＴＲ及び／またはＡＡＶ  ３’ＩＴＲがＡＡＶ２由来である、請求項１〜４のいずれか一項に記載のｒＡＡＶ。
【請求項６】
前記ベクターゲノムがエンハンサーを含み、任意に前記エンハンサーが肝臓特異的エンハンサーである、請求項１〜５のいずれか一項に記載のｒＡＡＶ。
【請求項７】
前記エンハンサーが、トランスサイレチンエンハンサー（ｅｎＴＴＲ）である、請求項６に記載のｒＡＡＶ。
【請求項８】
前記ｅｎＴＴＲが配列番号：５を含む、請求項７に記載のｒＡＡＶ。
【請求項９】
前記ベクターゲノムがポリＡ配列を更に含む、請求項１〜８のいずれか一項に記載のｒＡＡＶ。
【請求項１０】
前記ポリＡ配列が配列番号：１０を含む、請求項９に記載のｒＡＡＶ。
【請求項１１】
前記ベクターゲノムが約５キロベース〜約５．５キロベースのサイズである、請求項１〜１０のいずれか一項に記載のｒＡＡＶ。
【請求項１２】
前記ベクターゲノムが配列番号：１３のｎｔ１〜５１１０を含む、請求項１〜１１のいずれか一項に記載のｒＡＡＶ。
【請求項１３】
血友病Ａ患者への投与に適した水性懸濁液であって、前記懸濁液が、水性懸濁液と、１×１０１２ＧＣ／ｍＬ〜約１×１０１４ＧＣ／ｍＬの請求項１〜１２のいずれか一項に記載のｒＡＡＶとを含む、前記水性懸濁液。
【請求項１４】
前記懸濁液が静脈内注射に適する、請求項１３に記載の水性懸濁液。
【請求項１５】
前記懸濁液が、界面活性剤、防腐剤、及び／または前記水性懸濁液中に溶解される緩衝液を更に含む、請求項１３または請求項１４に記載の水性懸濁液。
【請求項１６】
前記ｒＡＡＶが約１×１０１２〜約１×１０１４ゲノムコピー（ＧＣ）／ｋｇの水性懸濁液で送達される、血友病Ａ患者の治療に使用するための、請求項１〜１２のいずれか一項に記載のｒＡＡＶ。
【請求項１７】
前記ｒＡＡＶを後の時点で再投与する、請求項１６に記載のｒＡＡＶ。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
がんを治療するためのCAR T細胞組成物であって、
該CAR T細胞は、標的部分に対するCARを含み、
投与にあたって、
リンカーによって標的部分に連結している低分子リガンドを含む化合物またはその薬学的に許容される塩の第１の用量を投与し、同化合物またはその薬学的に許容される塩の第２の用量（ここで、第２の用量は第１の用量とは異なる）を投与することを合わせて行うことを特徴とする、CAR T細胞組成物。
【請求項２】
がんを治療するためのCAR T細胞組成物であって、
該CAR T細胞は、標的部分に対するCARを含み、
投与にあたって、
第１の複合体またはその薬学的に許容される塩を投与し、第２の複合体またはその薬学的に許容される塩を投与する（ここで、第１の複合体および第２の複合体は、それぞれリンカーによって標的部分に連結している低分子リガンドを含み、第１の複合体と第２の複合体は異なる）ことを合わせて行うことを特徴とする、CAR T細胞組成物。
【請求項３】
がんを治療するためのCAR T細胞組成物であって、
該CAR T細胞は、標的部分に対するCARを含み、
投与にあたって、
第１の複合体またはその薬学的に許容される塩の第１の用量を投与し、第２の複合体またはその薬学的に許容される塩の第２の用量を投与する（ここで、第１の複合体および第２の複合体は、それぞれリンカーによって標的部分に連結している低分子リガンドを含み、第１の複合体と第２の複合体は異なり、第１の用量および第２の用量は異なる）ことを合わせて行うことを特徴とする、CAR T細胞組成物。
【請求項４】
配列番号：１に対して少なくとも約９０％、約９５％、約９８％、または約１００％の同一性を有する核酸を含むCAR T細胞。
【請求項５】
配列番号：２に対して少なくとも約９０％、約９５％、約９８％、または約１００％の同一性を有するポリペプチドを含むCAR T細胞。
【請求項６】
配列番号：１に対して少なくとも約９０％、約９５％、約９８％、または約１００％の同一性を有し、キメラ抗原受容体をコードする核酸。
【請求項７】
配列番号：２に対して少なくとも約９０％、約９５％、約９８％、または約１００％の同一性を有するキメラ抗原受容体ポリペプチド。
【請求項８】
配列番号：１に対して少なくとも約９０％、約９５％、約９８％、または約１００％の同一性を有する核酸を含むベクター。
【請求項９】
ベクターが、レンチウイルスベクターである、請求項８に記載のベクター。
【請求項１０】
がんを治療するための請求項４または５に記載のCAR T細胞を含む医薬組成物であって、
投与にあたって、
リンカーによって標的部分に連結している低分子リガンドを含む化合物またはその薬学的に許容される塩を投与することを合わせて行うことを特徴とする、医薬組成物。
【請求項１１】
少なくとも２つの異なるタイプのブリッジを含む組み合わせ医薬であって、
該ブリッジが標的部分に連結している低分子リガンドを含み、ブリッジの少なくとも１つにあるリガンドがCAIXリガンドであり、別のブリッジにあるリガンドが葉酸、DUPA、CCK2Rリガンド、NK-1Rリガンド、およびガンマグルタミルトランスペプチダーゼのリガンドから選択され、ブリッジ分子中の標的部分が同じである、組み合わせ医薬。
【請求項１２】
少なくとも２つの異なるタイプのブリッジを含む組み合わせ医薬であって、
該ブリッジが標的部分に連結している低分子リガンドを含み、ブリッジの少なくとも１つにあるリガンドがNK-1Rリガンドであり、別のブリッジにあるリガンドが葉酸、DUPA、CCK2Rリガンド、CAIXリガンド、およびガンマグルタミルトランスペプチダーゼのリガンドから選択され、ブリッジ分子中の標的部分が同じである、組み合わせ医薬。
【請求項１３】
少なくとも２つの異なるタイプのブリッジを含む組み合わせ医薬であって、
該ブリッジが標的部分に連結している低分子リガンドを含み、ブリッジの少なくとも１つにあるリガンドがガンマグルタミルトランスペプチダーゼのリガンドであり、別のブリッジにあるリガンドが葉酸、DUPA、CCK2Rリガンド、CAIXリガンド、およびNK-1Rリガンドから選択され、ブリッジ分子中の標的部分が同じである、組み合わせ医薬。
【請求項１４】
標的化部分がFITCである、請求項１１、１２、または１３に記載の組み合わせ医薬。
【請求項１５】
がんを治療するためのCAR T細胞を含む医薬組成物であって、投与にあたって、請求項１１〜１４のいずれかに記載の組み合わせ医薬を投与することを合わせて行うことを特徴とする、医薬組成物。
【請求項１６】
式：
【化１】
2019513764.tif 000001
【化２】
2019513764.tif 000002
【化３】
2019513764.tif 000003
または
【化４】
2019513764.tif 000004
で示される複合体。
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
アトピー性皮膚炎を処置するための医薬組成物であって、前記医薬組成物は：
生菌であり、かつドナー被験体の皮膚から単離された、アトピー性皮膚炎の処置に有効な量で存在するロゼオモナス・ミュコーサの少なくとも１つの株と；
薬学的に許容可能な担体と
を含む、医薬組成物。
【請求項２】
前記ドナー被験体はアトピー性皮膚炎を有していない、請求項１に記載の医薬組成物。
【請求項３】
前記医薬組成物は局所剤形で製剤化される、請求項１または２に記載の医薬組成物。
【請求項４】
前記医薬組成物は、クリーム、ゲル、膏薬、発泡体、軟膏、および液体から選択される局所剤形で製剤化される、請求項１−３のいずれか１つに記載の医薬組成物。
【請求項５】
前記ロゼオモナス・ミュコーサの少なくとも１つの株は、１０４−１０１２のコロニー形成単位の量で存在する、請求項１−４のいずれか１つに記載の医薬組成物。
【請求項６】
前記ロゼオモナス・ミュコーサの少なくとも１つの株は精製される、請求項１−５のいずれか１つに記載の医薬組成物。
【請求項７】
前記ロゼオモナス・ミュコーサの少なくとも１つの株は、黄色ブドウ球菌を減少させるのに十分な量で存在する、請求項１−６のいずれか１つに記載の医薬組成物。
【請求項８】
前記ロゼオモナス・ミュコーサの少なくとも１つの株は、ロゼオモナス・ミュコーサの最大５つの株を含む、請求項１−７のいずれか１つに記載の医薬組成物。
【請求項９】
前記ロゼオモナス・ミュコーサの少なくとも１つの株は、ロゼオモナス・ミュコーサの最大３つの株を含む、請求項１−７のいずれか１つに記載の医薬組成物。
【請求項１０】
前記薬学的に許容可能な担体はスクロースを含む、請求項１−９のいずれか１つに記載の医薬組成物。
【請求項１１】
前記薬学的に許容可能な担体はスクロースである、請求項１−９のいずれか１つに記載の医薬組成物。
【請求項１２】
アトピー性皮膚炎の局所処置のための製剤に使用するための、請求項１−１１のいずれか１つに記載の医薬組成物。
【請求項１３】
アトピー性皮膚炎を処置するためのキットであって、前記キットは：
医薬組成物を含む第１の容器であって、ここで、前記医薬組成物は、アトピー性皮膚炎の処置に有効な量で存在するロゼオモナス・ミュコーサの少なくとも１つの株を含み、ここで、前記ロゼオモナス・ミュコーサの少なくとも１つの株は、生菌であり、かつドナー被験体の皮膚から単離される、第１の容器と；
薬学的に許容可能な担体を含む第２の容器と
を含む、キット。
【請求項１４】
前記医薬組成物は凍結乾燥される、請求項１３に記載のキット。
【請求項１５】
前記第２の容器の前記薬学的に許容可能な担体は、クリーム、ゲル、膏薬、発泡体、軟膏、あるいは液体を含む、請求項１３あるいは１４に記載のキット。
【請求項１６】
前記液体は水である、請求項１５に記載のキット。
【請求項１７】
前記ロゼオモナス・ミュコーサの少なくとも１つの株は、１０４−１０１２のコロニー形成単位の総量で医薬組成物中に存在する、請求項１３−１６のいずれか１つに記載のキット。
【請求項１８】
前記ロゼオモナス・ミュコーサの少なくとも１つの株は、ロゼオモナス・ミュコーサの最大５つの株を含む、請求項１３−１７のいずれか１つに記載のキット。
【請求項１９】
前記ロゼオモナス・ミュコーサの少なくとも１つの株は、ロゼオモナス・ミュコーサの最大３つの株を含む、請求項１３−１７のいずれか１つに記載のキット。
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
ニタゾキサニド（NTZ）、チゾキサニド（TZ）、及びチゾキサニドグルクロニド（TZG）、並びにNTZ、TZ、又はTZGの薬学的に許容し得る塩からなる群から選択される化合物を含む、胆汁うっ滞性又は線維性の障害を処置する方法において使用するための医薬組成物。
【請求項２】
前記化合物が、NTZ及びTZ、並びにNTZ又はTZの薬学的に許容し得る塩からなる群から選択される、請求項１に記載の医薬組成物。
【請求項３】
前記線維性障害が、肝臓、腸、腎臓、皮膚、表皮、内皮、筋肉、腱、軟骨、心臓、膵臓、肺、子宮、神経系、精巣、陰茎、卵巣、副腎、動脈、静脈、結腸、腸（例えば、小腸）、胆管、軟組織（例えば、縦隔又は後腹膜）、骨髄、関節、眼、及び胃の線維症からなる群から選択される、請求項１〜２のいずれか一項に記載の医薬組成物。
【請求項４】
前記線維性障害が、肝臓、腸、肺、心臓、腎臓、筋肉、皮膚、軟組織、骨髄、腸、及び関節の線維症からなる群から選択される、請求項１〜３のいずれか一項に記載の医薬組成物。
【請求項５】
前記線維性障害が、非アルコール性脂肪性肝炎（NASH）、肺線維症、特発性肺線維症、皮膚線維症、眼線維症、心内膜心筋線維症、縦隔線維症、骨髄線維症、後腹膜線維症、進行性塊状線維症、増殖性線維症、新生物線維症、慢性炎症性気道疾患（COPD、喘息、肺気腫、喫煙者肺、結核）に続発する肺線維症、アルコール又は薬物誘発性の肝線維症、肝硬変、感染誘発性肝線維症、放射線又は化学療法誘発性の線維症、腎原性全身性線維症、クローン病、潰瘍性大腸炎、ケロイド、陳旧性心筋梗塞、強皮症／全身性強皮症、関節線維症、癒着性関節包炎の一部の形態、慢性線維化性胆管症、例えば、原発性硬化性胆管炎（PSC）、原発性胆汁性胆管炎（PBC）、胆道閉鎖症、家族性肝内胆汁うっ滞症３型（PFIC3）、インプラント周囲線維症、及び石綿肺からなる群から選択される、請求項１〜４のいずれか一項に記載の医薬組成物。
【請求項６】
前記胆汁うっ滞性障害が、原発性胆汁性胆管炎（PBC）、原発性硬化性胆管炎（PSC）、妊娠時肝内胆汁うっ滞症、進行性家族性肝内胆汁うっ滞症、胆道閉鎖症、胆石症、感染性胆管炎、ランゲルハンス細胞組織球増殖症に付随する胆管炎、アラジール症候群、非症候性腺管低形成、薬物誘発性胆汁うっ滞症、及び完全非経口栄養関連胆汁うっ滞症からなる群から選択される、請求項１〜２のいずれか一項に記載の医薬組成物。
【請求項７】
前記胆汁うっ滞性障害が、PBCである、請求項６に記載の医薬組成物。
【請求項８】
ピルフェニドン又は受容体チロシンキナーゼ阻害剤（RTKI）、例えば、ニンテダニブ、ソラフェニブ、及び他のRTKI、又はアンギオテンシンII（AT1）受容体ブロッカー、又はCTGF阻害剤、又はMMP2、MMP9、THBS1、若しくは細胞表面インテグリン等の潜在TGFβ複合体の活性化剤を含むTGFβ-及びBMP-活性化経路に干渉しやすい任意の抗線維化化合物、TGFβ受容体Ｉ型（TGFBRI）若しくはII型（TGFBRII）、及びこれらのリガンド、例えば、TGFβ、アクチビン、インヒビン、ノーダル、抗ミュラーホルモン、GDF、若しくはBMP、補助共受容体（III型受容体としても知られている）、又は制御性若しくは阻害性のSMADタンパク質を含むSMAD依存性古典的経路の構成要素、又はMAPKシグナル伝達、TAK1、Rho様GTPaseシグナル伝達経路、ホスファチジルイノシトール−３−キナーゼ／AKT経路、TGFβ誘発性EMTプロセス、又はHhリガンド若しくは標的遺伝子を含む古典的及び非古典的なヘッジホッグシグナル伝達経路の様々なブランチを含むSMAD非依存性若しくは非古典的な経路のメンバー、又はTGFβシグナル伝達に影響を与えやすいWNT若しくはノッチの経路の任意のメンバーから選択される公知の抗線維化活性を有する少なくとも１つの処置活性剤と併用するための、請求項１〜７のいずれか一項に記載の医薬組成物。
【請求項９】
JAK/STAT阻害剤、他の抗炎症剤及び／又は免疫抑制剤から選択される少なくとも１つの処置活性剤と併用するための、請求項１〜７のいずれか一項に記載の医薬組成物。
【請求項１０】
前記処置活性剤が、グルココルチコイド、NSAIDS、シクロホスファミド、ニトロソ尿素、葉酸アナログ、プリンアナログ、ピリミジンアナログ、メトトレキサート、アザチオプリン、メルカプトプリン、シクロスポリン、ミリオシン、タクロリムス、シロリムス、ミコフェノール酸誘導体、フィンゴリモド及び他のスフィンゴシン−１−リン酸受容体調節因子；炎症促進性サイトカイン及び炎症促進性サイトカイン受容体、Ｔ細胞受容体、インテグリン等の標的に対するモノクローナル抗体及び／又はポリクローナル抗体から選択される、請求項９に記載の医薬組成物。
【手続補正書】
【提出日】令和2年3月13日(2020.3.13)
【手続補正１】
【補正対象書類名】特許請求の範囲
【補正対象項目名】全文
【補正方法】変更
【補正の内容】
【特許請求の範囲】
【請求項１】
式（Ｒ）−Ｉ：
【化１】
2019513780.tif 000001
の（＋）−アザセトロンまたは薬学的に許容可能なその塩および／もしくは溶媒和物と、
少なくとも１つの薬学的に許容可能な賦形剤と、
を含む、耳疾患の処置における使用のための医薬組成物。
【請求項２】
（＋）−アザセトロンの薬学的に許容可能な塩が、（＋）−アザセトロンベシル酸塩、（＋）−アザセトロンリンゴ酸塩および（＋）−アザセトロン塩酸塩から選択される、請求項１に記載の医薬組成物。
【請求項３】
約０．０１ｍｇ〜約１００ｍｇの範囲の用量で投与される、請求項１または２に記載の医薬組成物。
【請求項４】
全身的または局所的に投与される、請求項１〜３の何れか１項に記載の医薬組成物。
【請求項５】
経口投与される、請求項１〜４の何れか１項に記載の医薬組成物。
【請求項６】
前記耳疾患が、内耳疾患、中耳疾患、外耳疾患、耳の感染、耳の炎症および耳の自己免疫障害を含む群から選択される、請求項１〜５の何れか１項に記載の医薬組成物。
【請求項７】
前記耳疾患が、難聴、耳鳴および前庭障害から選択される、請求項１〜６の何れか１項に記載の医薬組成物。
【請求項８】
難聴が感音難聴である、請求項７に記載の医薬組成物。
【請求項９】
感音難聴が耳毒性化合物誘発性難聴である、請求項８に記載の医薬組成物。
【請求項１０】
耳毒性化合物誘発性難聴が白金誘発性難聴である、請求項９に記載の医薬組成物。
【請求項１１】
白金誘発性難聴がシスプラチン誘発性難聴である、請求項１０に記載の医薬組成物。
【請求項１２】
癌と診断された対象に投与される、請求項１〜１１の何れか１項に記載の医薬組成物。
【請求項１３】
癌と診断された前記対象が、白金に基づく化学療法を受けるのを待っているかまたは受けている、請求項１２に記載の医薬組成物。
【請求項１４】
白金に基づく化学療法の前、その最中および／またはその後に投与される、請求項１３に記載の医薬組成物。
【請求項１５】
前記白金に基づく化学療法は、シスプラチン、カルボプラチンもしくはオキサリプラチンに基づく化学療法またはそれらの組み合わせである、請求項１３または１４に記載の医薬組成物。
【請求項１６】
感音難聴が突発性感音難聴または騒音性難聴である、請求項８に記載の医薬組成物。
【請求項１７】
前庭障害が損傷性前庭障害である、請求項７に記載の医薬組成物。
【請求項１８】
即時放出組成物または持続放出組成物である、請求項１〜１７の何れか１項に記載の医薬組成物。
【請求項１９】
口内分散性組成物である、請求項１〜１７の何れか１項に記載の医薬組成物。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
免疫療法薬に結合する第１抗原結合ポリペプチド構築物と、
第１腫瘍関連抗原エピトープに結合する第２抗原結合ポリペプチド構築物と
を含む、多重特異性抗原結合構築物であって、
前記免疫療法薬が、第２腫瘍関連抗原エピトープに結合する抗原結合ドメインを含む操作された受容体を発現する、Ｔ細胞もしくはＮＫ細胞であり、
前記第１抗原結合ポリペプチド構築物が、操作された受容体の細胞外部分上のエピトープに結合し、
前記第１腫瘍関連抗原エピトープと前記第２腫瘍関連抗原エピトープとが異なり、かつ
前記免疫療法薬と前記第１腫瘍関連抗原エピトープとに対する前記多重特異性抗原結合構築物の結合が、前記Ｔ細胞またはＮＫ細胞を活性化させる、
前記多重特異性抗原結合構築物。
【請求項２】
前記第１抗原結合ポリペプチド構築物および前記第２抗原結合ポリペプチド構築物が、各々抗原結合抗体断片であり、任意で、各抗原結合抗体断片が独立して、Ｆａｂ、ｓｃＦｖ、または単一ドメイン抗体（ｓｄＡｂ）である、請求項１に記載の多重特異性抗原結合構築物。
【請求項３】
前記操作された受容体がキメラ抗原受容体（ＣＡＲ）またはＴ細胞受容体である、請求項１または２に記載の多重特異性抗原結合構築物。
【請求項４】
前記免疫療法薬が、キメラ抗原受容体（ＣＡＲ）を発現するように操作されたＴ細胞である、請求項１または２に記載の多重特異性抗原結合構築物。
【請求項５】
前記第１腫瘍関連抗原エピトープと前記第２腫瘍関連抗原エピトープとが、同一抗原のエピトープである、請求項１〜４のいずれか一項に記載の多重特異性抗原結合構築物。
【請求項６】
前記第１腫瘍関連抗原エピトープと前記第２腫瘍関連抗原エピトープとが、異なる抗原のエピトープである、請求項１〜４のいずれか一項に記載の多重特異性抗原結合構築物。
【請求項７】
前記第１抗原結合ポリペプチド構築物が、前記受容体の前記抗原結合ドメイン上のエピトープに結合する、請求項１〜６のいずれか一項に記載の多重特異性抗原結合構築物。
【請求項８】
前記多重特異性抗原結合構築物が足場をさらに含み、前記第１抗原結合ポリペプチド構築物および前記第２抗原結合ポリペプチド構築物が前記足場に繋げられている、請求項１〜７のいずれか一項に記載の多重特異性抗原結合構築物。
【請求項９】
前記足場が第１Ｆｃポリペプチドと第２Ｆｃポリペプチドとを含むＩｇＧ Ｆｃであり、
前記第１抗原結合ポリペプチド構築物が前記第１Ｆｃポリペプチドに繋げられており、前記第２抗原結合ポリペプチド構築物が前記第２Ｆｃポリペプチドに繋げられており、
各ＦｃポリペプチドがＣＨ３配列を含み、
任意で、前記Ｆｃが少なくとも１つのＣＨ３配列にアミノ酸修飾を含む異種二量体型Ｆｃである、
請求項８に記載の多重特異性抗原結合構築物。
【請求項１０】
前記第１腫瘍関連抗原エピトープと前記第２腫瘍関連抗原エピトープが血液がんに関連している、請求項１〜９のいずれか一項に記載の多重特異性抗原結合構築物。
【請求項１１】
前記第１腫瘍関連抗原エピトープと前記第２腫瘍関連抗原エピトープが悪性Ｂ細胞によって発現される、請求項１〜９のいずれか一項に記載の多重特異性抗原結合構築物。
【請求項１２】
前記第２腫瘍関連抗原エピトープがＣＤ１９、ＣＤ２２、またはＢＣＭＡのエピトープである、請求項１〜９のいずれか一項に記載の多重特異性抗原結合構築物。
【請求項１３】
請求項１〜１２のいずれか一項に記載の多重特異性抗原結合構築物と薬学的に許容できる担体とを含む、医薬組成物。
【請求項１４】
請求項１〜１２のいずれか一項に記載の多重特異性抗原結合構築物をコードする、核酸。
【請求項１５】
請求項１〜１２のいずれか一項に記載の多重特異性抗原結合構築物をコードする核酸を含む、宿主細胞。
【請求項１６】
医薬として使用するための、請求項１〜１２のいずれか一項に記載の多重特異性抗原結合構築物。
【請求項１７】
前記医薬による処置が、
（ａ）前記免疫療法薬による腫瘍細胞への結合の指向性を、前記第２腫瘍関連抗原エピトープから前記第１腫瘍関連抗原エピトープに向け変えること、または
（ｂ）前記免疫療法薬による処置を受けているかまたは受けたことがある患者における前記免疫療法薬の治療効果を延長すること、または
（ｃ）前記免疫療法薬による処置を受けているかまたは受けたことがある患者においてがんを処置すること
を含む、請求項１６に記載の使用のための多重特異性抗原結合構築物。
【請求項１８】
前記患者が、前記免疫療法薬による前処置を受けたことがあり、
前記患者が、前記前処置後に再発したかまたは前記前処置に応答しなかったことがあり、
任意で、前記患者が、
（ａ）前記第２腫瘍関連抗原エピトープの減少または発現喪失；または
（ｂ）前記第２腫瘍関連抗原エピトープの発現の不均一性
が原因で、前記前処置後に再発したかまたは前記前処置に応答しなかったことがある、
請求項１６または１７に記載の使用のための多重特異性抗原結合構築物。
【請求項１９】
前記患者が前記免疫療法薬による処置を受けており、前記多重特異性抗原結合構築物が前記免疫療法薬に対する補助的処置として投与される、
請求項１６または１７に記載の使用のための多重特異性抗原結合構築物。
【請求項２０】
キメラ抗原受容体（ＣＡＲ）またはＴ細胞受容体（ＴＣＲ）を発現するように操作されたＴ細胞またはＮＫ細胞を活性化させる方法であって、
前記Ｔ細胞またはＮＫ細胞を、第１腫瘍関連抗原エピトープを発現する細胞の存在下で多重特異性抗原結合構築物に接触させる工程であって、前記多重特異性抗原結合構築物が前記ＣＡＲまたはＴＣＲ上のエピトープに結合する第１抗原結合ポリペプチド構築物と、前記第１腫瘍関連抗原エピトープに結合する第２抗原結合ポリペプチド構築物とを含む、工程
を含み、
前記ＣＡＲまたはＴＣＲが、第２腫瘍関連抗原エピトープに結合する抗原結合ドメインを含み、
前記第１腫瘍関連抗原エピトープと前記第２腫瘍関連抗原エピトープとが異なり、
前記Ｔ細胞またはＮＫ細胞と前記第１腫瘍関連抗原エピトープとに対する前記多重特異性抗原結合構築物の結合が、前記Ｔ細胞またはＮＫ細胞を活性化させる、前記方法。
【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
角質溶解剤としてセレニウム含有アミノ酸を含む、患者の角化症を処置するための組成物であって、前記組成物は、製薬用剤形で眼局所投与に適している、組成物。
【請求項２】
セレニウム含有アミノ酸はセレニウムメチオニン、または、その薬学的に許容可能な塩である、請求項１に記載の組成物。
【請求項３】
セレニウム含有アミノ酸はセレニウムシステイン、または、その薬学的に許容可能な塩である、請求項１に記載の組成物。
【請求項４】
組成物は溶液または液体ゲルとして製剤化される、請求項１に記載の組成物。
【請求項５】
眼局所投与に適している組成物は、眼瞼縁への局所投与に適している、請求項１に記載の組成物。
【請求項６】
組成物は、クリーム、ローション、または軟膏として製剤化される、請求項１に記載の組成物。
【請求項７】
組成物は、過酸化ベンゾイル、コールタール、ジトラノール、サリチル酸、レチン酸、アルファヒドロキシ酸、尿素、乳酸、および二硫化セレンから選択される追加の角質溶解剤または角膜静止剤をさらに含む、請求項１に記載の組成物。
【請求項８】
組成物はデポー剤製剤であり、ここで、前記組成物は感圧接着剤をさらに含み、感圧接着剤は、ゴムベースの感圧接着剤、シリコーンベースの感圧接着剤、あるいはアクリル酸ベースの感圧接着剤である、請求項１に記載の組成物。
【請求項９】
角化症は、マイボーム腺機能不全あるいはドライアイである、請求項１に記載の組成物。
【請求項１０】
角化症はマイボーム腺機能不全である、請求項９に記載の組成物。
【請求項１１】
セレニウム含有アミノ酸はセレニウムメチオニン、または、その薬学的に許容可能な塩である、請求項９に記載の組成物。
【請求項１２】
セレニウム含有アミノ酸はセレニウムシステイン、または、その薬学的に許容可能な塩である、請求項９に記載の組成物。
【請求項１３】
セレニウム含有アミノ酸はセレニウムメチオニン、または、その薬学的に許容可能な塩である、請求項１０に記載の組成物。
【請求項１４】
セレニウム含有アミノ酸はセレニウムシステイン、または、その薬学的に許容可能な塩である、請求項１０に記載の組成物。
【請求項１５】
眼局所投与に適している組成物は、眼瞼縁への局所投与に適している、請求項１１に記載の組成物。
【請求項１６】
眼局所投与に適している組成物は、眼瞼縁への局所投与に適している、請求項１２に記載の組成物。
【請求項１７】
組成物は０．１％から１０％のセレニウム含有アミノ酸を含む、請求項１に記載の組成物。
【請求項１８】
組成物は０．１％から１０％のセレニウム含有アミノ酸を含む、請求項９に記載の組成物。
【請求項１９】
組成物は０．１％から１０％のセレニウムメチオニン、または、その薬学的に許容可能な塩を含む、請求項１１に記載の組成物。
【請求項２０】
組成物は０．１％から１０％のセレニウムシステイン、または、その薬学的に許容可能な塩を含む、請求項１２に記載の組成物。
【手続補正書】
【提出日】令和1年12月6日(2019.12.6)
【手続補正１】
【補正対象書類名】特許請求の範囲
【補正対象項目名】全文
【補正方法】変更
【補正の内容】
【特許請求の範囲】
【請求項１】
以下：
検出手段（１０）の検出領域内においてある新しいオブジェクト（２）を検出し、該検出された新しいオブジェクト（２）の検出領域内におけるポジションを割り出すことができるように構成されている検出手段（１０）；
該検出領域内の位置と先に検出されたオブジェクトのこの位置に対応する移動方向とに関する情報を、保存することができるように構成されているメモリ（１１）；
メモリ（１１）に保存されている情報を用いて、検出手段（１０）によって検出された新しいオブジェクト（２）の初期移動方向を算出し、この初期移動方向をこの新しいオブジェクト（２）に割り当てることができるように構成されている計算手段（１２）を包含することを特徴とするオブジェクト（２）を検出するための装置（１）。
【請求項２】
該検出手段（１０）が、レーダーセンサを包含することを特徴とする請求項１に記載の装置（１）。
【請求項３】
検出された新しいオブジェクト（２）の割り出されたポジションに基づいて該検出手段（１０）の検出領域を通る移動パスを割り出し、該検出手段（１０）の検出領域内の該移動パスを使用して移動方向を算出し、対応するポジションと共にメモリ（１１）に保存することができるように構成された処理手段（１３）も包含することを特徴とする請求項１或いは２に記載の装置（１）。
【請求項４】
該処理手段（１３）が、検出領域内における検出された新しいオブジェクト（２）の少なくとも二つのポジション間の補間から移動パスを算出する様に構成されていることを特徴とする請求項３に記載の装置（１）。
【請求項５】
該処理手段（１３）が、該検出手段（１０）の検出領域内にある複数のポジション用にそれぞれ移動方向を算出することを特徴とする請求項３或いは４に記載の装置（１）。
【請求項６】
該メモリ（１１）が、該検出手段（１０）の検出領域内の予め設定されているグリッドの格子点用に、ポジションと対応する移動方向に関する情報を保存するように構成されていることを特徴とする請求項１から５のうち何れか一項に記載の装置（１）。
【請求項７】
メモリ（１１）に保存されている先に検出されたオブジェクトの移動方向情報が、オブジェクトを検出するための装置（１）の自己運動を用いて調整されることを特徴とする請求項１から６のうち何れか一項に記載の装置（１）。
【請求項８】
請求項１から７に記載のオブジェクト（２）を検出するための装置（１）を備えたドライバー・アシスタント・システム。
【請求項９】
以下のステップ：
ポジションと対応する検出手段（１０）の検出領域内において先に検出されたオブジェクトの移動方向に関する情報を提供するステップ（Ｓ１）；
該検出手段（１０）の検出領域内において新しいオブジェクト（２）を検出するステップ（Ｓ２）；
該検出手段（１０）の検出領域内における検出された新しいオブジェクト（２）のポジションを割り出すステップ（Ｓ３）；
検出された新しいオブジェクト（２）の割り出されたポジションにおける先に検出されたオブジェクトの移動方向を提供された情報に基づいて割り出すステップ（Ｓ４）；
初期移動方向を、検出された新しいオブジェクト（２）に、先に検出されたオブジェクトの割り出されたポジションにおける移動方向を用いて割り当てるステップ（Ｓ５）を包含することを特徴とするオブジェクト（２）を検出するための方法。
【請求項１０】
ポジションと対応する移動方向に関する情報を提供するステップ（Ｓ１）が、以下のステップ：
該検出手段（１０）の検出領域を通る先に検出されたオブジェクトの移動パスを割り出すステップ；と
該検出手段（１０）の検出領域内のあるポジションにおける、先に検出されたオブジェクトの移動方向を算出するステップを包含することを特徴とする請求項９に記載の方法。
【請求項１１】
該検出手段（１０）の検出領域内を通る先に検出されたオブジェクトの移動パスを割り出すステップが、検出されたオブジェクトの少なくとも二つのポジションの間の移動パスを補間することを特徴とすることを特徴とする請求項１０に記載の方法。
【請求項１２】
先に検出されたオブジェクトの移動方向を算出するステップが、検出領域の予め設定されているグリッド内の複数の離散したポジション用に移動方向を算出することを特徴とする請求項１０乃至１１に記載の方法。
【請求項１３】
先に検出されたオブジェクトの移動方向を算出するステップが、移動方向を、複数の先に検出されたオブジェクトの移動方向から算出することを特徴とする請求項１０から１２のうち何れか一項に記載の方法。
【請求項１４】
先に検出されたオブジェクトの移動方向が、割り出された自己運動を用いて調整されることを特徴とする請求項１０から１３のうち何れか一項に記載の方法。
【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
ネットワークアナライザの較正を行う較正装置であって、
第１の本体部と第２の本体部とを有する本体を備え、
前記第１の本体部は、ショートのための較正基準部、ロード／マッチのための較正基準部、およびオープンのための較正基準部を有し、前記第２の本体部は、スルーのための較正基準部を有し、前記較正基準部は、コネクタを含むコネクタ対を有し、
前記第１の本体部と前記第２の本体部とは、互いに対して回転可能であり、
前記較正基準部のうちの少なくとも１つは、前記第１の本体部と前記第２の本体部の少なくとも一つに対して回転可能であり、
前記較正基準部は、ネットワークアナライザへの直接的又は間接的な接続を行うためのものである
較正装置。
【請求項２】
前記第１の本体部は、少なくとも１つの接続要素を介して前記第２の本体部に接続される請求項１に記載の較正装置。
【請求項３】
前記少なくとも１つの接続要素は、スクリュー、ドライバピン、または磁石として設計される請求項２に記載の較正装置。
【請求項４】
前記第１及び／又は第２の本体部を回転するよう付与される力は、前記接続要素を介して調整可能である請求項２又は３に記載の較正装置。
【請求項５】
ばねが前記第１の本体部及び／又は前記第２の本体部に配置される請求項４に記載の較正装置。
【請求項６】
少なくとも１つのディスクが前記本体に形成される請求項５に記載の較正装置。
【請求項７】
前記ディスクはプラスチックディスクである請求項６に記載の較正装置。
【請求項８】
前記ディスクは、前記ばねと前記接続要素との間、及び／又は、前記ばねと前記ばねを備える前記本体部との間、及び／又は、前記第１及び第２の本体部の間に据え付けられる、請求項６に記載の較正装置。
【請求項９】
複数の較正基準部を備える請求項１に記載の較正装置を操作する方法であって、
マッチ、ショート、及び／又は、オープンのために前記較正装置の前記較正基準部の１つをネットワークアナライザに接続し、対応する較正を実施するステップと、
前記較正装置と前記ネットワークアナライザとを切断するステップと、
前記ネットワークアナライザへのスルーを構築するための較正基準部を含む、前記較正装置の第２の本体部を回転するステップと、
前記較正装置と前記ネットワークアナライザとの間でスルーを構築するステップとを備える方法。
【手続補正書】
【提出日】令和2年4月13日(2020.4.13)
【手続補正１】
【補正対象書類名】特許請求の範囲
【補正対象項目名】全文
【補正方法】変更
【補正の内容】
【特許請求の範囲】
【請求項１】
ユーザーの頭に装着されるように構成されたヘルメットと、
前記ヘルメットに取り付けられた電動アセンブリと、
前記電動アセンブリの操作の形態を調整するために前記電動アセンブリに接続される、少なくとも１つの制御部材と、
透明な顔面シールドを少なくとも備えるガーメントであって、前記ガーメントが前記ヘルメットに取り付けられる時に前記顔面シールドが前記ユーザーの顔の前に位置するように位置決めされた前記ヘルメットに離脱可能に取り付けられる、ガーメントと、
を備える個人防護システムであって、
前記ガーメントは、マークを備え、
センサが前記ヘルメットに取り付けられており、前記センサは、前記ガーメントマークが前記センサに隣接しているかどうかを監視し、前記センサに隣接する前記ガーメントマークの存否を示すセンサ信号を出力するように、構成されており、
制御装置が、前記電動アセンブリの作動を選択的に可能にするために前記電動アセンブリに接続されると共に、前記センサ信号を受信するために前記センサに接続されており、前記制御装置は、前記センサ信号が前記ガーメントマークが前記センサに隣接していることを示した時にのみ前記電動アセンブリの作動を可能にするように、構成されている、個人防護システム。
【請求項２】
前記ガーメントマークは、前記顔面シールドに取り付けられている、請求項１に記載の個人防護システム。
【請求項３】
前記ガーメントマークは、磁場に引き付けられ、前記ヘルメットに接続された磁石と対で機能する金属である、請求項２に記載の個人防護システム。
【請求項４】
前記センサは、磁場の存在を監視するように構成されている、請求項１ないし請求項３のいずれか一項に記載の個人防護システム。
【請求項５】
前記センサは、ホール効果センサである、請求項４に記載の個人防護システム。
【請求項６】
前記センサは、機械的に変位するスイッチであり、
前記ヘルメット及び前記ガーメントは、前記ガーメントが前記ヘルメットに取り付けられた時、前記顔面シールドの区域が前記機械的に変位するスイッチの状態を変化させるように前記スイッチに当接し，これによって、前記顔面シールドの前記区域が前記マークとして機能するように、協働して構成されている、
請求項１又は２に記載の個人防護システム。
【請求項７】
前記ガーメントマークは、メモリであり、
前記センサは、前記メモリ内に貯蔵されたデータを読み取ることがができる、前記制御装置に接続されたインターフェイスである、
請求項１又は２に記載の個人防護システム。
【請求項８】
前記マークは、前記ガーメント上の光学的に感知可能なマークであり、
前記センサは、前記光学的に感知可能なマークを読み取ることができる光学読取装置である、
請求項１又は２に記載の個人防護システム。
【請求項９】
前記ヘルメットに取り付けられた前記電動アセンブリは、ファンモータ、光源、通信ユニット、冷却ストリップ、又はビデオ及び／又はオーディオレコーダーである、請求項１ないし請求項８のいずれか一項に記載の個人防護システム。
【請求項１０】
前記電動アセンブリに接続される少なくとも一つの前記制御部材は、ボタンである、請求項１ないし請求項８のいずれか一項に記載の個人防護システム。
【請求項１１】
前記ヘルメットに取り付けられた前記電動アセンブリは、ファンモータであり、
少なくとも一つの前記制御部材は、前記ファンモータの速度を制御するために設けられたボタンである、請求項１ないし請求項８のいずれか一項に記載の個人防護システム。
【請求項１２】
ユーザーの頭に装着されるように構成された外科用ヘルメットと、
医療環境と着衣者との間に微生物バリアをもたらすために、前記外科用ヘルメットを少なくとも部分的に覆って配置されるように構成された外科用ガーメントであって、前記外科用ガーメントを前記外科用ヘルメットに取外し可能に連結するように構成された第１の固定特徴部を備える、外科用ガーメントと、
を備える、外科衣システムであって、
前記外科用ヘルメットは、
外科手術中に前記外科用ヘルメットを着用する前記ユーザーの手技を促進するように構成された電動装置と、
前記外科用ヘルメットに隣接して位置決めされる前記外科用ガーメントの存在を検出し、前記外科用ガーメントが前記外科用ヘルメットに連結された時に信号を生成するように構成された検出器と、
前記検出器及び前記周辺装置と通信する制御装置であって、前記検出器からの前記信号に少なくとも部分的に基づき、前記周辺装置の操作の形態を調整するように構成されている、制御装置と、
を備える、外科衣システム。
【請求項１３】
前記外科用ガーメントは、透明シールドをさらに備え、
前記外科用ガーメントの前記第１の固定特徴部は、前記透明シールドに連結されている、請求項１２に記載の外科衣システム。
【請求項１４】
前記検出器は、機械的スイッチであり、
前記外科用ヘルメット及び前記外科用ガーメントは、前記外科用ガーメントが前記外科用ヘルメットに隣接して位置決めされた時に前記透明な顔面シールドが前記機械的スイッチに当接するように、構成されている、請求項１３に記載の外科衣システム。
【請求項１５】
前記制御装置は、前記検出器からの前記信号が電力供給の存在及び外科用ガーメントの不在を示した時、前記電動アセンブリに関するデータ／情報を前記メモリに貯蔵するように、構成されている、請求項１２に記載の外科衣システム。
【請求項１６】
前記外科用ヘルメットに取外し可能に連結されたバッテリをさらに備え、
前記バッテリは、前記制御装置と通信しており、
前記制御装置は、前記検出器からの前記信号に少なくとも部分的に基づき、前記バッテリから前記周辺装置へのエネルギーの伝達を制御するように、構成されている、請求項１２に記載の外科衣システム。
【請求項１７】
前記制御装置は、前記検出器からの前記信号が前記外科用ガーメントが前記外科用ヘルメットに隣接して位置決めされたことを示した時、前記バッテリから前記周辺装置へのエネルギーの伝達を可能にするように構成されている、請求項１６に記載の外科衣システム。
【請求項１８】
前記検出器は、磁場の存在を監視するように構成されている、請求項１２に記載の外科衣システム。
【請求項１９】
前記外科用ヘルメットの前記電動装置は、ファンアセンブリ、光源、通信ユニット、冷却ストリップ、又はビデオレコーダーを含む、請求項１２に記載の外科衣システム。
【請求項２０】
前記第１の固定特徴部は、磁場に引き付けられ、前記ヘルメットに接続された磁石と対で機能する金属である、請求項１２に記載の外科衣システム。
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
複数のはしご部分（５、５ａ〜５ｊ）を含む折り畳み式はしご（１）のはしご部分に用いるための横板であって、各はしご部分は、それぞれの前記はしご部分を形成するために互いに平行に配置され、かつ前記横板（２０）によって相互接続された２つのはしごチューブ（１０、１２）を含み、各はしごチューブ（１０、１２）は、前記折り畳み式はしご（１）を形成するために下側のはしご部分のはしごチューブ（１０、１２）内に伸縮式に挿入され、前記横板（２０）は主要部分（２２）と、第１のブラケット部分（２４ａ）と、第２のブラケット部分（２４ｂ）とを含み、前記第１および第２のブラケット部分（２４ａ、２４ｂ）は、それぞれの前記はしごチューブ（１０、１２）を受取るために前記横板（２０）の各端部に配置され、前記横板（２０）は、前記主要部分（２２）と、前記第１および第２のブラケット部分（２４ａ、２４ｂ）とが一体化されたユニットとして１つの単一片で提供され、
前記主要部分（２２）と、前記第１および第２のブラケット部分（２４ａ、２４ｂ）とは同じ材料によって形成され、前記主要部分（２２）は、前記第１および第２のブラケット部分（２４ａ、２４ｂ）が延在する面に対して角度（α）で傾斜することを特徴とする、横板。
【請求項２】
前記第１および第２のブラケット部分（２４ａ、２４ｂ）は互いに対称である、請求項１に記載の横板。
【請求項３】
前記第１および第２のブラケット部分（２４ａ、２４ｂ）は熱可塑性材料で作られている、請求項１または２に記載の横板。
【請求項４】
前記主要部分（２２）の少なくとも一部には、複数の窪みまたは突起を含む外側層が設けられる、請求項１〜３のいずれか一項に記載の横板。
【請求項５】
前記主要部分（２２）の少なくとも一部は、複数の窪みまたは突起を含む、請求項１〜４のいずれか一項に記載の横板。
【請求項６】
前記横板（２０）は、少なくとも１つのグリップハンドル（４０）を含む、請求項１〜５のいずれか一項に記載の横板。
【請求項７】
前記少なくとも１つのグリップハンドル（４０）は、前記横板（２０）の中心線（Ｃ）から距離ｄを置いて配置され、前記中心線（Ｃ）は前記はしごチューブ（１０、１２）と平行であり、前記中心線（Ｃ）は長手方向の線（Ｌ）に対して垂直である、請求項６に記載の横板。
【請求項８】
前記グリップハンドル（４０）および前記横板（２０）は、一体化されたユニットとして提供される、請求項６に記載の横板。
【請求項９】
前記グリップハンドル（４０）は底部プレートに配置され、前記底部プレートは前記横板（２０）の前記主要部分（２２）に取り外し可能に配置される、請求項６に記載の横板。
【請求項１０】
前記横板（２０）はロッキング機構を含む、請求項１〜９のいずれか一項に記載の横板。
【請求項１１】
前記横板（２０）は、前記ロッキング機構がロック位置にあるか否かの可視化を可能にするための少なくとも１つのロッキング表示器を含む、請求項１０に記載の横板。
【請求項１２】
複数のはしご部分（５、５ａ〜５ｊ）を含む折り畳み式はしごであって、各はしご部分は、それぞれの前記はしご部分を形成するために互いに平行に配置され、かつ横板（２０）によって相互接続された２つのはしごチューブ（１０、１２）を含み、各はしごチューブ（１０、１２）は、前記折り畳み式はしご（１）を形成するために下側のはしご部分のはしごチューブ（１０、１２）内に伸縮式に挿入され、前記横板（２０）は主要部分（２２）と、第１のブラケット部分（２４ａ）と、第２のブラケット部分（２４ｂ）とを含み、前記第１および第２のブラケット部分（２４ａ、２４ｂ）は、それぞれの前記はしごチューブ（１０、１２）を受取るために前記横板（２０）の各端部に配置され、前記横板（２０）の前記主要部分（２２）と、前記第１のブラケット部分（２４ａ）と、前記第２のブラケット部分（２４ｂ）とは一体化されたユニットとして１つの単一片で提供され、前記主要部分（２２）と、前記第１および第２のブラケット部分（２４ａ、２４ｂ）とは同じ材料によって形成され、前記主要部分（２２）は、前記第１および第２のブラケット部分（２４ａ、２４ｂ）が延在する面に対して角度（α）で傾斜することを特徴とする、折り畳み式はしご。
【請求項１３】
前記横板（２０）は、請求項１〜１１に記載の特徴のいずれかを含む、請求項１２に記載の折り畳み式はしご。
【請求項１４】
第１および第２のはしご脚部を含む折り畳み式脚立であって、前記脚部は一方の端部において互いにヒンジで接続されており、前記はしご脚部の各々は複数のはしご部分（５、５ａ〜５ｊ）を含み、各部分（５）は、それぞれの前記はしご部分（５）を形成するために互いに平行に配置され、かつ横板（２０）によって相互接続された２つのはしごチューブ（１０、１２）を含み、各はしごチューブ（１０、１２）は、少なくとも３つのはしご部分（５）を含む前記折り畳み式脚立を形成するために下側のはしご部分のはしごチューブ（１０、１２）内に伸縮式に挿入されており、前記横板（２０）は主要部分（２２）と、第１のブラケット部分（２４ａ）と、第２のブラケット部分（２４ｂ）とを含み、前記第１および第２のブラケット部分（２４ａ、２４ｂ）は、それぞれの前記はしごチューブ（１０、１２）を受取るために前記横板（２０）の各端部に配置され、前記折り畳み式脚立（１）は横板（２０）を含み、前記横板（２０）の前記主要部分（２２）と、前記第１のブラケット部分（２４ａ）と、前記第２のブラケット部分（２４ｂ）とは一体化されたユニットとして１つの単一片で提供され、前記主要部分（２２）と、前記第１および第２のブラケット部分（２４ａ、２４ｂ）とは同じ材料によって形成され、前記主要部分（２２）は、前記第１および第２のブラケット部分（２４ａ、２４ｂ）が延在する面に対して角度（α）で傾斜することを特徴とする、折り畳み式脚立。